(57)【要約】　　　（修正有）【課題】携帯電話からの注文に応じて地理案内情報を携帯電話へ送信し、地理案内をする携帯ナビゲーションシステムを提供する。【解決手段】ＧＰＳ衛星１３からのＧＰＳ信号を受信するＧＰＳ信号受信装置１２と、該受信信号が入力される携帯電話９とを具えた携帯ナビゲーション装置８を設ける。また、コンピュータ５と、該コンピュータ５で使用する地理案内ソフト３および地図データ4と、携帯ナビゲーション装置８と通信するための発信装置６および受信装置７とを具えた地理案内センター２とを設ける。そして、携帯ナビゲーション装置８からの要求に応じ、合わせて伝えられる現在位置情報および目的地情報を基にコンピュータ５にて生成される地理案内情報を、携帯ナビゲーション装置８へ送信する。【選択図】　図１
0003099458.tif 000002
【実用新案登録請求の範囲】
【請求項１】
　ＧＰＳ衛星からのＧＰＳ信号を受信するＧＰＳ信号受信装置と、該受信した信号が入力される携帯電話とを具えた携帯ナビゲーション装置と、
　コンピュータと、該コンピュータで地理案内情報を生成する際に使用する地理案内ソフトおよび地図データと、前記携帯ナビゲーション装置と通信するための発信装置および受信装置とを具えた地理案内センターとから構成され、
前記携帯ナビゲーション装置からの要求に応じ、該携帯ナビゲーション装置から伝えられる現在位置情報および目的地情報を基に前記コンピュータにて生成される地理案内情報を、前記携帯ナビゲーション装置へ送信する
ことを特徴とする携帯ナビゲーションシステム。
【考案の詳細な説明】
【技術分野】
【０００１】
　本考案は、携帯電話からの注文に応じて地理案内情報を携帯電話へ送信し、地理案内をする携帯ナビゲーションシステムに関するものである。
【背景技術】
【０００２】
　自動車に搭載されるカーナビゲーション装置は、当初のものは単に地図が表示されるだけであり、運転者はその地図を見て、走行すべき道路はどの道路かを自分で判断するものであった。しかしながら、その後の進歩は目ざましく、近年では走行位置に応じて、次に右折または左折すべき交差点を、画像表示のみならず音声案内でも予告するなどする、懇切丁寧で詳細を究めるものとなって来ている。
【考案の開示】
【考案が解決しようとする課題】
【０００３】
（問題点）
　しかしながら、従来のカーナビゲーション装置には、次のような問題点があった。
　第１の問題点は、使用頻度が少ない装置なのに、運転席近くの貴重なスペースがかなり広く占められてしまうという点である。
　第２の問題点は、利用しもしない地図データを保持させられると共に、最新の地図データに即応することが容易でないという点である。
【０００４】
（問題点の説明）
　まず第１の問題点について説明する。カーナビゲーション装置は、運転者の見易い位置に設置しなければならないので、そのような位置に設置されることになるが、通常は、インストルメントパネルの略中央に、垂直に立てて設置される。
　ところで、カーナビゲーション装置は、地理不案内の所を長距離走行する際に威力を発揮するものであり、よく知っている地域を走行する場合には使用しない。しかし、一般の運転者にとって地理不案内の所を走行することは、そう頻繁にあることではない。従って、購入して暫くの間の物珍しさで使用している時期を過ぎると、使用頻度はぐっと少なくなるのが実情である。人によっては、そのうちにカバーをかけたままとなり、殆ど使用しなくなる。
　インストルメントパネルの中央という位置は、限られた車室内スペースでも貴重な位置であるが、そこを使用頻度の少ないカーナビゲーション装置に常時占められてしまうということは、スペースの有効利用の観点から好ましくない。また、後部座席の人が正面前方の景色を見るのの妨げになるという観点からも、好ましくない。
【０００５】
　次に第２の問題点について説明する。カーナビゲーション装置を購入した人は、それが保持している地図データを全て利用するわけではない。一部だけしか利用せずに終わってしまうのが普通である。
　例えば、カーナビゲーション装置を廃棄処分（買い換えも含む）するまでに、地理不案内のＡ地，Ｂ地，…Ｘ地に行くのに使用したということであれば、それらの地へ行くための地図データしか利用しなかったということである。しかし、他の地域の地図データも含めて購入しているわけであるから、結局、使いもしない分についても費用を払わされたという結果になり、不合理であり不経済である。
【０００６】
　また、地図データは言うまでもなく日々変化する。次々と新しい道路や橋が出来たり、区画整理や再開発が行われて町が変わる。このような変化に即応するためには、カーナビゲーション装置に入力されている地図データを新しいものに交換する必要がある。しかし、それには相当の費用がかかり、実際問題としてはそう簡単に出来ることではない。
　本考案は、以上のような問題点を解決することを課題とするものである。
【課題を解決するための手段】
【０００７】
　前記課題を解決するため、本考案の携帯ナビゲーションシステムでは、ＧＰＳ衛星からのＧＰＳ信号を受信するＧＰＳ信号受信装置と、該受信した信号が入力される携帯電話とを具えた携帯ナビゲーション装置と、コンピュータと、該コンピュータで地理案内情報を生成する際に使用する地理案内ソフトおよび地図データと、前記携帯ナビゲーション装置と通信するための発信装置および受信装置とを具えた地理案内センターとから構成し、前記携帯ナビゲーション装置からの要求に応じ、該携帯ナビゲーション装置から伝えられる現在位置情報および目的地情報を基に前記コンピュータにて生成される地理案内情報を、前記携帯ナビゲーション装置へ送信することとした。
【考案の効果】
【０００８】
　本考案の携帯ナビゲーションシステムによれば、次のような効果を奏する。
（１）使用頻度の少ない装置であるカーナビゲーション装置を、インストルメントパネルの運転席近くという貴重なスペースを使用して、常時設置しておく必要がなくなる。
（２）地理案内サービスを、必要とした時に注文に応じて受けることが出来る。
（３）携帯ナビゲーション装置側の利用者は、地図データ等を更新する手間をかけなくとも、常に最新の地図データによる地理案内サービスを受けることが出来る。
（４）自動車に乗った時のみならず個人が歩行する場合でも、地理案内サービスを利用することが可能となる。
【考案を実施するための最良の形態】
【０００９】
　以下、本考案の実施形態を図面に基づいて詳細に説明する。
　図１は、本考案の携帯ナビゲーションシステムを示す図である。図１において、１は携帯ナビゲーションシステム、２は地理案内センター、３は地理案内ソフト、４は地図データ、５はコンピュータ、６は発信装置、７は受信装置、８は携帯ナビゲーション装置、９は携帯電話、１０はコネクタ、１１は接続線、１２はＧＰＳ信号受信装置、１３はＧＰＳ衛星である。
【００１０】
　本考案の携帯ナビゲーションシステム１は、携帯ナビゲーション装置８と地理案内センター２とから構成される。
　携帯ナビゲーション装置８は、携帯電話９とＧＰＳ信号受信装置１２を具えている。ＧＰＳ信号受信装置１２は、ＧＰＳ衛星１３からのＧＰＳ信号を受信する機能を有する装置である。これは、携帯電話９とは別体のものであり、接続線１１およびコネクタ１０を介して携帯電話９へと接続され、ＧＰＳ衛星１３より受信したＧＰＳ信号（位置情報信号）を、携帯電話９に入力する。
　なお、ＧＰＳ信号受信装置１２は、小型化をはかり、携帯電話９内に組み込むようにすることも出来る。
【００１１】
　地理案内センター２は、地理案内ソフト３，地図データ４，コンピュータ５，発信装置６および受信装置７とを具えている。地理案内ソフト３および地図データ４は、コンピュータ５で地理案内情報を生成する際に使用される。
　地理案内センター２は、携帯ナビゲーション装置８より地理案内サービスの要求が出された時、その要求に応じて地理案内情報を提供する。その過程は次の通りである。
【００１２】
（１）携帯ナビゲーション装置８から地理案内サービスの要求を出す。この時は、自己が現在居る場所の位置情報（ＧＰＳ信号）と、これから行こうとしている目的地の情報を送信する。
（２）受信装置７は、それらの情報をコンピュータ５に伝える。
（３）コンピュータ５は、地理案内ソフト３および地図データ４を駆使して演算処理し、地理案内情報（例、次の交差点を右折せよといった情報）を生成する。
（４）その地理案内情報を、発信装置６より携帯ナビゲーション装置８へ送信する。
（５）受信された地理案内情報のうち、画像情報は携帯電話９のディスプレイに表示され、音声情報は携帯電話９のスピーカより発せられる。
【００１３】
　このようなシステムにすれば、携帯ナビゲーション装置８の側では、地理案内ソフトや地図データを常時保持しておく必要はなく、地理案内センター２においてだけ保持していればよい。地理案内を必要とする時に、地理案内センター２に注文を発することにより、所要の地理案内サービスを受けることが出来る。
　地図データや地理案内ソフトが更新された場合には、地理案内センター２内の地図データ４や地理案内ソフト３を更新しておけば、携帯ナビゲーション装置８では、常に最新のデータによるサービスを受けることが可能となる。
【００１４】
　自動車の運転者がこのサービスを利用する場合、その時だけ携帯ナビゲーション装置８を、運転席の近く（例えば、助手席のシートの上とか、飲物コップを載せる台とか）に置いておけばよい。音声案内だけを利用するつもりなら、胸ポケットに入れておいてもよい。即ち、従来のカーナビゲーション装置のように、インストルメントパネルの中央といった貴重な位置を占領して、常時設置しておく必要はなくなる。
　また、携帯ナビゲーション装置８は個人が携帯し得るものであるから、自動車に乗った時だけでなく、個人が不案内な地域の道路を歩行する場合にも利用することが出来る。
【図面の簡単な説明】
【００１５】
【図１】本考案の携帯ナビゲーションシステムを示す図
【符号の説明】
【００１６】
　１…携帯ナビゲーションシステム、２…地理案内センター、３…地理案内ソフト、４…地図データ、５…コンピュータ、６…発信装置、７…受信装置、８…携帯ナビゲーション装置、９…携帯電話、１０…コネクタ、１１…接続線、１２…ＧＰＳ信号受信装置、１３…ＧＰＳ衛星
【図１】
0003099458.tif 000003